(57)【要約】【課題】アクリル板に直接発光体であるＬＥＤを照射してアクリル板を発光させると共に、制御部を用いて使用者の任意の色に選択でき、更にコンピュータの動作状況を制御部の指令に基いて発光体に伝達し適宜に発光させる事が可能なコンピュータケースを提供する。【解決手段】コンピュータのハードディスクおよびＣＰＵ（中央処理装置）等を収納するコンピュータケースにおいて、コンピュータケース本体に、Ｒ、Ｇ、Ｂそれぞれの色を発光するＬＥＤからなる発光部と、ケースの表面に前記ＬＥＤ発光部で発光した光を反射させるアクリル板部と、発光部に接続しＬＥＤの発光を制御するＬＥＤ制御部とを設けた構成である。【選択図】　　図１
2004127202.tif 000002
【特許請求の範囲】
【請求項１】
コンピュータのハードディスクおよびＣＰＵ（中央処理装置）等を収納するコンピュータケースにおいて、コンピュータケース本体に、Ｒ（赤）、Ｇ（緑）、Ｂ（青）それぞれの色を発光するＬＥＤからなる発光部と、該ケースの表面に前記ＬＥＤ発光部で発光した光を反射させるアクリル板部と、発光部に接続しＬＥＤの発光を制御するＬＥＤ制御部とを設けたことを特徴とするコンピュータケース
【請求項２】
前記発光部は、ＬＥＤによるＲ，Ｇ，Ｂの光を一つの基板上で発光させることを特徴とする請求項１記載のコンピュータケース
【請求項３】
前記ＬＥＤ制御部は、ＬＥＤのＲ，Ｇ，Ｂの各光源に対しそれぞれを個別にＯＮ／ＯＦＦ制御する一つ若しくは複数のスイッチを装備したことを特徴とする請求項１記載のコンピュータケース
【請求項４】
前記ＬＥＤ制御部は、ＬＥＤのＲ，Ｇ，Ｂの各光源に対し彩色・濃淡等を任意の色調に制御するためにそれぞれを個別に電圧／電流制御する一つ若しくは複数のコントロ−ラを装備したことを特徴とする請求項１記載のコンピュータケース
【請求項５】
前記ＬＥＤ制御部は、コンピュータを操作して色調を変化させるようにコンピュータのマザーボードと接続されていることを特徴とする請求項１記載のコンピュータケース
【請求項６】
前記アクリル板部は、コンピュータケース本体の前面若しくは側面若しくは上面若しくは下面若しくは背面に配置されていることを特徴とする請求項１記載のコンピュータケース
【請求項７】
前記アクリル板部は、厚板からなるアクリル板の表面または内部に文字若しくは記号等が削設されており、前記ＬＥＤ発光部より光が導入されると削設された文字若しくは記号部分で光が反射拡散することを特徴とする請求項１記載のコンピュータケース
【請求項８】
前記アクリル板部は、表面の一部に淡色を醸成するために白色の着色を施したことを特徴とする請求項１記載のコンピュータケース
【発明の詳細な説明】
【０００１】
【発明の属する技術分野】
本発明は、コンピュータのハードディスクおよびＣＰＵ（中央処理装置）等を収納するケースに関し、特にケースの外表面にアクリル板部を設けＬＥＤ等の発光体をアクリル板部に装着してアクリル板部の表面またはアクリル板内に削設された文字等が輝くコンピュータケースに関する。
【０００２】
【従来の技術】
コンピュータは一般に広く普及し、オフィスでも家庭でも万人がコンピュータを所有し使用することになった。その結果、無機質な機能面だけを重視したデザインのコンピュータでは物足りなくなってきた。特に、コンピュータの外装であるコンピュータケースは次第にファションを追求して様々なデザインのものが開発されている。
コンピュータケースの表面は、基本的には、電源スイッチとリセットスイッチを装備し、前面にハードディスクのアクセス状況を表示するアクセスランプと電源オン時に点灯する電源ランプとが装備されている構成である。ミドルタワーと呼ばれるケースは、上記構成のケースに更に３．５インチベイや５インチベイが既設されており、使用者の好みに応じてコンピュータを増設することが可能となっている。また、その他にもフルタワーケースや、マイクロタワーケース等が販売されている。
【０００３】
現実に販売されているケースはどれも似たようなデザインであるため、需要者の認識としてはコンピュータを構成する各種機器を組み込む箱体として取り扱われている。しかしながらコンピュータケースの中にはデザインのマンネリ化を打開するために装飾されたコンピュータケースが登場している。例えば、内部に蛍光灯を装備し、側面に透明窓のアクリル板を配置し、内部から発光して照らし出すコンピュータケースや、蛍光灯をコンピュータのフロントパネル左右に配置して発光させるというファション性を重視したものも販売されている。また、ファン自体を光らせて回転させて装飾を楽しむものもある。
【０００４】
しかし、上記構成のケースは、ただ発光体に電力を供給して発光させており、装飾以外には効果を持たないのが現状である。また、ただでさえ熱に弱いＣＰＵ（中央演算処理装置）の近隣に発熱する発光体を装備することは問題を生ずる。また、ケース全体がアクリル板で構成されているものも販売されているが、人体に影響があるとされる電磁波の対策がなされていない問題もあった。
そこで、発熱量少なく微小な発光体を利用することが考えられ、発光効果が大きな発光体である複数種類のＬＥＤを制御して様々な色を使用者の好みに応じて選択でき、更に機能的にもコンピュータの動作状態を制御部の指令に基いて発光させて外部に知らせることの出来るコンピュータケースの開発が待たれていた。
【０００５】
【発明が解決しようとする課題】
上記の問題を解決するために本発明のコンピュータケースは、透明板であるアクリル板に直接発光体であるＬＥＤを照射してアクリル板を発光させると共に、制御部を用いて使用者の任意の色に選択でき、更にコンピュータの動作状況を制御部の指令に基いて発光体に伝達し適宜に発光させる事が可能なコンピュータケースを提供する事を目的としている。また、アクリル板に文字・記号等を削設して文字等を発光させることが可能なコンピュータケースを提供する事も目的としている。
【０００６】
【課題を解決するための手段】
上記の目的を達成するために本発明に係るコンピュータケースは、コンピュータのハードディスクおよびＣＰＵ（中央処理装置）等を収納するコンピュータケースにおいて、コンピュータケース本体に、Ｒ（赤色）、Ｇ（緑色）、Ｂ（青色）それぞれの色を発光するＬＥＤ（Ｌｉｇｈｔ　Ｅｍｉｔｔｉｎｇ　Ｄｉｏｄｅ＝発光ダイオード）からなる発光部と、該ケースの表面に前記ＬＥＤ発光部で発光した光を反射させるアクリル板部と、発光部に接続しＬＥＤの発光を制御するＬＥＤ制御部とを設けた構成である。また、発光部は、ＬＥＤによるＲ，Ｇ，Ｂの光を一つの基板上で発光させる構成である。さらに、ＬＥＤ制御部は、ＬＥＤのＲ，Ｇ，Ｂの各光源に対しそれぞれを個別にＯＮ／ＯＦＦ制御する一つ若しくは複数のスイッチを装備した構成である。
【０００７】
ＬＥＤ制御部は、ＬＥＤのＲ，Ｇ，Ｂの各光源に対し彩色・濃淡等を任意の色調に制御するためにそれぞれを個別に電圧／電流制御する一つ若しくは複数のコントロ−ラを装備した構成でもある。
また、ＬＥＤ制御部は、コンピュータを操作して色調を変化させるようにコンピュータのマザーボードと接続されている構成である。
アクリル板部は、コンピュータケース本体の前面若しくは側面若しくは上面若しくは下面若しくは背面に配置されている構成であり、該アクリル板部は、厚板からなるアクリル板の表面または内部に文字若しくは記号等が削設されており、前記ＬＥＤ発光部より光が導入されると削設された文字若しくは記号部分で光が反射拡散する構成である。
また、アクリル板部の表面の一部に淡色を醸成するための白色の着色を施く構成とすることも可能である。
【０００８】
【作用】
本発明に係るコンピュータケースでは、アクリル板に隣接して装備されるＬＥＤからなる発光部によりアクリル板部に光を照射しアクリル板部を発光させる事が可能である。また、ＬＥＤ制御部により光の３原色を発光するＬＥＤを混合制御することにより使用者の任意の色を選択することが可能となる。また、コンピュータのマザーボードと接続することにより、コンピュータの動作状況に応じた各種の色を発光させる事が可能となる。さらに、アクリル板に削設された文字また名記号部分に光が反射して結果的には文字または記号部分を発光させることも可能となる。
【０００９】
【発明の実施の形態】
以下に本発明に係るコンピュータケースを図面に示す実施例に基づき詳細に説明する。図１は本発明のコンピュータケースの斜視図であり、図２はコンピュータケースの内部の構成図であり、図３は回路図であり、図４は、アクリル板の実施例の平面図である。
本発明のコンピュータケース１０は、図１で示すとおり、ＬＥＤ発光部２０と、アクリル板３０と、ＬＥＤ制御部４０と、からなる。
コンピュータケースの中に格納される機器としては、マザーボード、ＣＰＵ、メモリ、ハードディスクドライブをはじめとして、ＣＤドライブ、ＦＤドライブ等がある。
【００１０】
ＬＥＤ発光部２０は、Ｒ（赤色）、Ｇ（緑色）、Ｂ（青色）の光の三原色を発光するＬＥＤ（Ｌｉｇｈｔ　Ｅｍｉｔｔｉｎｇ　Ｄｉｏｄｅ＝発光ダイオード）を一箇所に配置した構成である。同時にまたは選択して発光することが発光可能となるように３つの基板が設置されている。また、Ｒ，Ｇ，Ｂの構成を一つの基板に組み込んで構成することも可能である。ＬＥＤ発光部２０は、アクリル板３０のすぐ傍に設置され、アクリル板３０を直接照射してアクリル板３０およびアクリル板に削設した文字または記号等を発光させる構成である。
【００１１】
アクリル板３０は、アクリル製の厚板素材からなり、ＬＥＤ発光部２０の照射を受けて光を透過させる構成である。アクリル板３０は自ら発光することはないが、ＬＥＤ発光部２０からの光の照射により、アクリル板を透過する光がアクリル以下内で反射してアクリル全体が発光しているように見える。アクリル板は、透明度が高く、変色しない利点がある。また、強度がガラスの１０倍以上強く、更に比重がガラスの半分である利点があり、コンピュータケースの表面に装備しても重さを無視できる利点がある。アクリル板のように透明度および耐久性があり、光を透過する素材であれば他の素材を用いる事も可能である。
【００１２】
図４で示す実施例では縦に「ＵＮＩ　ＳＥＸ」の英文字が切削して配されており、表面にケイビングの施されている切削された部分に光が当たると当該部分の光が拡散反射して周囲より輝度が高く輝いて発光したように見える。この実施例では繊細な線を表現するためにレーザケイビングを用いているが文字または記号・模様の切削方法はこれに限られることは無い。
【００１３】
アクリル板３０は、コンピュータケース１０の前面及び背面及び側面等任意の箇所に設置することが可能である。この実施例ではフロントパネルである前面に配設しているが、コンピュータケース１０の上面に配置する事も可能である。上面にアクリル板を配置すると、下から照射した光がアクリル板の内部を透過して突き抜けて天井を照射するような結果となる。天井に到達した光は、天井に光源を置いたような照明となり室内のインテリアとして意外性のある綺麗なものとなる。
【００１４】
なお、アクリル板部の表面の一部に白色を施すことにより、照射されている色と同系の淡い色を醸し出すことが出来る。そのために淡色を醸成する白色の着色を施した別の実施では簡単な構成でありながら、文字や模様等が高輝度で光を反射すると同時にバックの色彩として薄く、ぼんやりとした同系色の光を付加することが出来るので全く異なる雰囲気の照明を得る事が出来る。
【００１５】
また、電源スイッチの表面板をアクリル板とすることも可能であり、小型のアクリル板を電源スイッチとすることにより、電源投入時に電源スイッチが発光する構成とすることも可能である。
さらに、アクリル板３０の内部に、文字３２や記号や模様等を適宜に削設することにより削設された文字等がＬＥＤ発光部の光を屈折拡散することになり、文字３２や記号等を目立つように発光させる事が可能となる。
【００１６】
ＬＥＤ制御部４０は、ＬＥＤ発光部２０のＲ，Ｇ，Ｂの各光源を個別にＯＮ／ＯＦＦ制御すると同時に、彩色・濃淡等を任意の色調に混合制御するために電圧／電流を制御するする装置であり、一つ若しくは複数のスイッチ４２からなる。ＬＥＤ発光部２０と電気的に接続される構成である。また、ＬＥＤ発光部２０に電源を供給するために、マザーボード５０（図１参照）若しくは電源ユニット６０（図２参照）に接続される構成でもある。ＬＥＤ制御部４０は、ＬＥＤ発光部２０と同じ基板に配置されてもよいが、別の基板で構成することも可能である。
【００１７】
さらに、ＬＥＤ制御部４０は、一つ若しくは複数のスイッチと接続しており、スイッチはコンピュータケース１０の表面の任意の場所に取り付けられる。スイッチを接続せずにＬＥＤ発光部２０と接続し発光させることも可能であるが、スイッチを装備する事により、ＬＥＤ発光部２０のＲ、Ｇ、Ｂそれぞれの色彩を混合調節したり、それぞれのＬＥＤをＯｎ−Ｏｆｆ制御することが可能となる。また、ＬＥＤ制御部４０において、自動制御を設定する事により、自動的に発光する色を連続して変えることも可能である。例えば詳細に設定ができるスイッチを配置することも考えられるし、専用のアプリケーションを使用してキーボード等からマザーボードを介してＬＥＤ制御部４０を制御させることも可能である。
【００１８】
ＬＥＤ制御部４０は、上述したようにマザーボード５０と接続しマザーボード５０からの制御を可能としている。また、マザーボードではなく専用のコネクタ、例えばＵＳＢコネクタやＰＣＩコネクタを接続して外部から制御することも可能である。すなわち、ＬＥＤ制御部がマザーボードと接続することにより、マザーボードに接続されているコンピュータの入力機器、例えばキーボードやマウスにより、任意の設定を可能としている。また、従来ではケースに装備されていたハードディスクの動作状況を知らせるアクセスランプや、フロッピードライブ（登録商標）に装備されフロッピードライブの動作状況を知らせるアクセスランプは小さく見にくいという欠点があった。ハードディスクドライブのアクセスランプはそれほど重要ではないが、フロッピードライブのアクセスランプを見易く設定することが出来る。
【００１９】
アクセスランプが見にくいと、フロッピードライブがフロッピー（登録商標）にアクセス中にフロッピーを取り出すような誤操作をする危険性があり、フロッピーの物理的破損を起こす可能性が高い。しかし、本発明のコンピュータケースは、ＬＥＤ制御部４０の設定により、ハードディスクのアクセスランプ及びフロッピードライブのアクセスランプをＬＥＤ発光部２０より発光させてアクリル板発光部３０で代用することが可能となる。また、ハードディスクのアクセスランプを赤、フロッピードライブのアクセスランプを緑等のように好みにあわせて設定すること画出来るので、一目でどのような段階の動作をしているか確認する事ができる。
これにより稼動中のコンピュータの外部からの管理も可能となる。
【００２０】
また、専用アプリケーションや設定ツールを使用して、コンピュータにインストールされているアプリケーションと連動させて発光させる事も可能である。例えば、メーラーのアプリケーションと連動させ、メールが届いた際に別の色を発光させてメールの到着を知らせたり、ブラウザと連動させ、ファイルのダウンロードが完了した際に別の色を発光させて動作完了を知らせる事も可能である。従来では、スピーカー等の音での出力により動作完了を知らせているのが一般的であったが、光の発光により動作状況が一目で判るので静かであり、かつ便利である。
【００２１】
【発明の効果】
１．コンピュータケース本体の表面に設けられたアクリル板が、Ｒ（赤色）、Ｇ（緑色）、Ｂ（青色）を発光するＬＥＤ発光部による発光で各種の色彩に発光するのでファション性の高いコンピュータケースが安価に提供できる。ＬＥＤ発光部に接続してアクリル板を設け、ＬＥＤ発光部をＬＥＤ制御部で制御するという簡単な構成で、ＬＥＤ発光部で発光した光が表面のアクリル板を透過発光するケースを構築することができる。
２．ＬＥＤ発光部は、Ｒ，Ｇ，Ｂの光を一つの基板で発光することが可能である。
３．ＬＥＤ制御部は、Ｒ，Ｇ，Ｂの光に対しそれぞれをＯＮ／ＯＦＦ制御する一つ若しくは複数のスイッチを装備しており、各々別個に制御することが可能である。
４．ＬＥＤ制御部は、Ｒ，Ｇ，Ｂの光に対しそれぞれを任意の色調に混合制御することが可能であるため、使用者の好きな色と濃淡を設定する事が可能である。
【００２２】
５．ＬＥＤ制御部は、コンピュータを制御するマザーボードと接続されており、コンピュータの動作によって色を変化させることが可能であるため、アプリケーションの動作状況に応じた発光を設定することが可能となる。
６．アクリル板発光部は、コンピュータケース本体前面若しくは側面若しくは上面若しくは下面若しくは背面の任意の場所に設置することが可能である。
７．アクリル板発光部は、内部に文字若しくは記号や模様等が削設されており、前記ＬＥＤ発光部で光を反射拡散することより光を反射させて文字を光らせることが可能であるため、使用者の任意のデザインを発光させることが可能である。
８．アクリル板部の表面の一部に白色を施すことにより、簡単な構造でありながら、照射されている色と同系の淡い色を醸し出すことが出来る。
【図面の簡単な説明】
【図１】本発明のコンピュータケースの斜視図
【図２】本発明のコンピュータケースの構成図
【図３】本発明のコンピュータケースの回路図
【図４】本発明のコンピュータケースの前面の実施例の平面図
【符号の説明】
１０　　コンピュータケース
２０　　ＬＥＤ発光部
３０　　アクリル板発光部
３２　　文字
４０　　ＬＥＤ制御部
４２　　スイッチ
５０　　マザーボード
６０　　電源ユニット
【図１】
2004127202.tif 000003
【図２】
2004127202.tif 000004
【図３】
2004127202.tif 000005
【図４】
2004127202.tif 000006